(57)【要約】      （修正有）【課題】養生シートを簡単に取付け、取外しができ、換気のため必要に応じて養生シートを開閉でき、また、破損した養生シートを簡単に交換できる昇降足場装置を提供する。【解決手段】ガイド支柱と、昇降機と、作業足場とを備えている。作業足場は水平な足場板と、足場板の前側に起立する複数の前側縦支柱と、足場板の後側に起立する複数の後側縦支柱と、前側縦支柱の上端と後側縦支柱の上端との間に架設されている複数の傾斜した屋根支柱と、複数の屋根支柱の上端間に水平に架設された背部補強支柱と、複数の前側縦支柱間に水平に架設した二つの上側ガイドレール及び下側ガイドフレームと、背部補強支柱と上側ガイドフレームとの間に着脱自在で水平方向移動自在に展張した屋根側養生シートと、上側ガイドフレームと下側ガイドフレームとの間に着脱自在で水平方向移動自在に展張された前側養生シートと、を備えている。【選択図】図１
0003204708.tif 000002
【実用新案登録請求の範囲】
【請求項１】
ガイド支柱（Ｂ）と、上記ガイド支柱（Ｂ）に昇降自在に取り付けた昇降機（Ｃ）と、上記昇降機（Ｃ）に連結されて上記ガイド支柱（Ｂ）に沿って昇降する作業足場（Ａ）とを備えている昇降足場装置において、
上記作業足場（Ａ）は水平な足場板（９９と、上記足場板（９）の前側に起立する複数の前側縦支柱（１）と、上記足場板（９）の後側に起立する複数の後側縦支柱（２）と、上記前側縦支柱（１）の上端と上記後側縦支柱（２）の上端との間に架設されている複数の傾斜した屋根支柱（３）と、上記複数の屋根支柱（３）の上端間に水平に架設された背部補強支柱（４）と、上記複数の前側縦支柱（１）間に水平に架設された上下二つの上側ガイドレール（１３）及び下側ガイドフレーム（１４）と、上記背部補強支柱４と上記上側ガイドフレーム（１３）との間に着脱自在で水平方向移動自在に展張された屋根側養生シート（Ｓ１）と、上記上側ガイドフレーム（１３）と上記下側ガイドフレーム（１４）との間に着脱自在で水平方向移動自在に展張された前側養生シート（Ｓ２）と、を備えていることを特徴とする昇降足場装置。
【請求項２】
上記上側ガイドレール（１３）と上記下側ガイドレール（１４）とはそれぞれ長手方向に沿って形成されている上下一対のスライド溝（１７）と、上記スライド溝（１７）内にスライド自在に挿入されているランナー（１９）とを備え、上記ランナー（１９）が上記スライド溝（１７）内を転動するローラ（２０）と、上記ローラ（２０）を支持する支持部材（２１）と、上記支持部材（２１）に接続されて上記屋根側養生シート（Ｓ１）又は上記前側養生シート（Ｓ２）を連結させるリング（２２）とを備えている請求項１に記載の昇降足場装置。
【請求項３】
屋根側養生シート（Ｓ１）の上部及び下部にそれぞれ孔（２３）が形成されており、上記屋根側養生シート（Ｓ１）の上端が上記上部の孔（２３）に差し込まれた紐（１６）又はフックを介して上記背部補強支柱（４）に着脱自在で水平方向移動自在に取付けられており、また、上記屋根側養生シート（Ｓ１）の下端が上記下部の孔（２３）に差し込まれた紐、フック又はピン（２４）を介して上記リング（２２）に着脱自在に取り付けられている請求項２に記載の昇降足場装置。
【請求項４】
上記前側養生シート（Ｓ２）の上部及び下部に孔（２３）が形成されており、当該前側養生シート（Ｓ２）の上端と下端とがそれぞれ上記上部の孔（２３）と下部の孔（２３）に差し込まれた紐、フック又はピン（２４）を介してそれぞれ上記リング（２２）に着脱自在に取り付けられている請求項２又は３に記載の昇降足場装置。
【請求項５】
上側ガイドレール（１３）が側部に長手方向に沿う支持溝（２６）を備え、上記支持溝（２６）内に水平な板（３０）からなるブラケット（Ｂ１）が着脱自在に挿入され、上記ブラケット（Ｂ１）が楔挿入用の孔（３４）を備えたソケット（３２）に着脱自在に固定され、上記ソケット（３２）が上記前側縦支柱（１）に結合した多孔のフランジ（３１）に上記楔挿入用の孔（３４）に嵌合した楔（３３）を介して固定されている請求項１、２、３又は４のいずれかに記載されている昇降足場装置。
【請求項６】
下側ガイドレール１４が側部に長手方向に沿う支持溝２６を備え、上記支持溝２６内に水平な板３０からなるブラケットＢ２が着脱自在に挿入され、上記ブラケットＢ２が上記前側縦支柱１に結合したクランプ２７に着脱自在に固定されている請求項１、２、３又は４のいずれかに記載されている昇降足場装置。
【請求項７】
上記ブラケット（Ｂ１）又はブラケット（Ｂ２）が水平な板（３０）からなり、上記板（３０）にボルト（３０ａ９とこのボルト（３０ａ）に螺合したナット（３０ｂ）とを取付けている請求項５又は６に記載の昇降足場装置。
【考案の詳細な説明】
【技術分野】
【０００１】
本考案は、昇降足場装置に関し、特に建築物や構築物の外壁に対向して上下方向、横方向に移動し、外壁の建造、解体、修理、リフォーム等の作業を行うのに適する昇降足場装置に関する。
【背景技術】
【０００２】
一般に、ビルディング等の建築物、橋梁等の構築物の外壁の建築、構築、解体、修理、リフォーム等の工事を行う場合、例えば、特許文献１、特許文献２に示すような昇降足場システム、昇降自在なゴンドラ装置が利用されている。
【０００３】
特許文献１に示昇降足場システムはビルディングの外壁に沿って起立するガイドレールと、このガイドレールに昇降自在に取り付けた足場とから構成されている。
【０００４】
そして、この足場はガイドレールに沿って昇降する水平フレームと、この水平フレームに設けた前側の複数の鉛直フレームと、後側の複数の鉛直フレームと、後側の鉛直フレームに取付けられた足場板と、前側の鉛直フレームの上端に設けた屋根フレームと、前側の隣接する一対の鉛直フレームに張設されて正面側外面と屋根側上面を覆う養生シートとを備えているものである。
【０００５】
同じく、特許文献２に示すゴンドラ装置は、作業足場とこの作業足場を吊り下げて構築物の外面に沿って縦横に移動させる吊りワイヤとから構成されている。
【０００６】
そして、この作業足場は水平な足場板と、足場板から起立して屋根側まで伸びる複数の前側支柱と、前側支柱に対向する複数の後側支柱と、隣接する一対の前側支柱の各溝に両端部を嵌合させて正面側外面と屋根側上面とを覆う養生シートを備えている。
【０００７】
上記特許文献１、２に示す昇降足場システムやゴンドラ装置は正面側外面と屋根側上面とを養生シートで覆っているので養生シートの内側には風雨が侵入せず、足場板上の作業者又は工具や資材が足場板から養生シートの外側に落下する危険を防止でき、また、建築物、構築物の外面からゴミ等が外部に飛び出す等の不具合を解消できる。
【特許文献１】特開平９−４１６５５号公報（図２、段落００１２、要約参照）
【特許文献２】特開２００１−２０７６３８号公報（図１、図３、図４、段落００２７、参照）
【考案の開示】
【考案が解決しようとする課題】
【０００８】
上記従来の昇降足場システムや昇降自在なゴンドラ装置としては、特に、機能上の欠陥があるわけではないが、次のような不具合の改善が望まれている。
【０００９】
即ち、昇降自在な足場システムやゴンドラでは養生シートの取付け、取外しを容易にしてその作業性を向上させたい要望があり、又、例えば、夏季のような熱い日に工事を行うには養生シートを開いて換気したい場合があり、あるいは一部が破損した養生シートを交換したい場合等がある。
【００１０】
しかるに、特許文献１に示す昇降足場システムでは、養生シートが前側の鉛直フレームに固定して展張されているため、その取付け、取外し作業が面倒であり、また、この養生シートを換気のために開閉することが出来ず、あるいは、簡単に外して交換することも困難である。
【００１１】
同じく、特許文献２に示す昇降自在なゴンドラ装置は、養生シートが隣接する一対の前側支柱の各溝に両端部を嵌合させながら固定して取付けているためその取付け、取外し作業が面倒であり、これをその都度開閉することが出来ず、簡単に交換することも困難である。
【００１２】
そこで、本考案は養生シートを簡単に取付け、取外しができ、換気のため必要に応じて養生シートを開閉でき、また、破損した養生シートを簡単に交換できる昇降足場装置を提供することである。
【課題を解決するための手段】
【００１３】
上記の目的を達成する、本考案の構成は、ガイド支柱と、上記ガイド支柱に昇降自在に取り付けた昇降機と、上記昇降機に連結されて上記ガイド支柱に沿って昇降する作業足場とを備えている昇降足場装置において、上記作業足場は水平な足場板と、上記足場板の前側に起立する複数の前側縦支柱と、上記足場板の後側に起立する複数の後側縦支柱と、上記前側縦支柱の上端と上記後側縦支柱の上端との間に架設されている複数の傾斜した屋根支柱と、上記複数の屋根支柱の上端間に水平に架設された背部補強支柱と、上記複数の前側縦支柱間に水平に架設された上下二つの上側ガイドレール及び下側ガイドフレームと、上記背部補強支柱と上記上側ガイドフレームとの間に着脱自在で水平方向移動自在に展張された屋根側養生シートと、上記上側ガイドフレームと上記下側ガイドフレームとの間に着脱自在で水平方向移動自在に展張された前側養生シートと、を備えていることを特徴とするものである。
【００１４】
この場合、上側ガイドレールと下側ガイドレールとはそれぞれ長手方向に沿って形成されている上下一対のスライド溝と、スライド溝内にスライド自在に挿入されているランナーとを備え、ランナーがスライド溝１７内を転動するローラと、ローラを支持する支持部材と、支持部材に接続されて屋根側養生シート又は前側養生シートを連結させるリングとを備えているのが好ましい。
【００１５】
同じく、屋根側養生シートの上部及び下部にそれぞれ孔が形成されており、屋根側養生シートの上端が上部の孔に差し込まれた紐又はフックを介して上記背部補強支柱に着脱自在で水平方向移動自在に取付けられており、また、屋根側養生シートの下端が下部の孔に差し込まれた紐、フック又はピンを介してリングに着脱自在に取り付けられているのが好ましい。
【００１６】
同じく、前側養生シートの上部及び下部に孔が形成されており、当該前側養生シートの上端と下端とがそれぞれ上記上部の孔と下部の孔に差し込まれた紐、フック又はピンを介してそれぞれリングに着脱自在に取り付けられているのが好ましい。
【考案の効果】
【００１７】
本考案によれば、次の特有の効果を達成できる。
１）背部補強支柱と上側ガイドフレームとの間に屋根側養生シートを着脱自在で水平方向移動自在に展張しているから何時でも屋根側養生シートを交換し、修理して張替えでき、また、何時でも開閉して換気できる。
２）同じく、上側ガイドフレームと下側ガイドフレームとの間に前側養生シートを着脱自在で水平方向移動自在に展張しているから何時でもこの前側養生シートを交換し、修理し、換気のために開閉できる。
３）上側ガイドレールと下側ガイドレールとはスライド溝内にスライド自在に挿入されているランナーとを備え、ランナーに屋根側養生シート又は前側養生シートを連結させているから屋根側養生シート又は前側養生シートを水平方向にスムースに移動して開閉でき、換気効率を向上できる。
４）屋根側養生シートの上端が上部の孔に差し込まれた紐又はフックを介して背部補強支柱に着脱自在で水平方向移動自在に取付けられているから屋根側養生シートの背部補強支柱に対する取付け、取外しが容易である。
５）また、屋根側養生シートの下端が下部の孔に差し込まれた紐、フック又はピンを介してランナー側のリングに着脱自在に取り付けられており、また、前側養生シートの上端と下端とがそれぞれ上部の孔と下部の孔に差し込まれた紐、フック又はピンを介してそれぞれランナー側のリングに取り付けられているので屋根側養生シートと前側養生シートのガイドレールに対する取付け、取外しが容易であり、その交換、修理が簡単に行える。
【図面の簡単な説明】
【００１８】
【図１】本考案の一実施の形態に係る昇降足場装置の作業足場部分の拡大の斜視図である。
【図２】本考案の一実施の形態に係る昇降足場装置の一部切欠き正面図である。
【図３】図２の右側面図である。
【図４】（Ａ）作業足場を構成する支柱とこの支柱に取付けた屋根側養生シートと前側養生シートの略示側面図である。（Ｂ）Ａ部における屋根支柱と背部補強支柱との結合状態を示す一部拡大側面図である。（Ｃ）Ａ部における屋根支柱と背部補強支柱との結合状態を示す一部拡大平面図である。
【図５】（Ａ）上側ガイドレールを前側縦支柱に設けたフランジに取付けた状態の一部切欠き平面図である。（Ｂ）同正面図である。（Ｃ）同Ａ―Ａ線一部切欠き縦断右側面図である。
【図６】（Ａ）上側ガイドレールを取付けるソケットの平面図である。（Ｂ）同正面図である。（Ｃ）同右側面図である。
【図７】（Ａ）下側ガイドレールを前側縦支柱に設けたクランプに取付けた状態の一部切欠き平面図である。（Ｂ）同正面図である。（Ｃ）同Ｂ―Ｂ線一部切欠き縦断右側面図である。
【図８】（Ａ）上側ガイドレール又は下側ガイドフレームの支持溝に挿入する支持板の拡大平面図である。（Ｂ）同正面図である。（Ｃ）同右側面図である。
【図９】上側ガイドレールと、これに挿入するランナーと、ランナーに取付けられる前側養生シートとの分解斜視図である。
【考案を実施するための形態】
【００１９】
以下本考案の一実施の形態を図に基づいて説明する。
【００２０】
本考案は、ビルディング等の建築物や橋梁等との構築物の外壁に対向して上下方向、横方向に移動し、外壁の建築、構築、解体、修理、リフォーム等の作業を行うのに適する昇降足場装置に関するものである。
【００２１】
この昇降足場装置は図２、図３に示すように、ベースＤを介して地上に起立するガイド支柱Ｂと、ガイド支柱Ｂに昇降自在に取り付けた昇降機Ｃと、昇降機Ｃに連結されてガイド支柱Ｂに沿って昇降する作業足場Ａとを備えている。
【００２２】
作業足場Ａは建築物等の外壁に沿って昇降し、作業足場Ａの足場板９（図１参照）上を作業者が歩行してこの足場板９上で諸作業を行うものである。
【００２３】
ガイド支柱Ｂには公知のようにラックとピニオン等を介して昇降機Ｃが上下に昇降自在に取付けられており、この昇降機Ｃには連結フレームＥを介して横方向に一つ又は複数の作業足場Ａが連結されている。
【００２４】
昇降機Ｃはこれに組み込まれているモータ等で駆動されてガイド支柱Ｂに沿って昇降し、この時作業足場Ａも連動して昇降し、この作業足場Ａを建築物等の外壁の所定の作業位置に移動させるようになっている。
【００２５】
作業足場Ａには図１に示すように、足場板９の周囲に前部巾木１１、後部巾木１２、側部巾木１０を起立して足場板９上から工具や資材が落下するのを防止している。
【００２６】
また、足場板９の上方には前側縦支柱１と後側縦支柱２とに取付けた前部手摺フレーム６ａと背部手摺フレーム６ｂとが配置され、作業者の歩行、作業時の安全を図っている。
【００２７】
更に、後述するように、作業足場Ａの屋根側と前側に屋根側養生シートＳ１と前側養生シートＳ２とが展張されている。
【００２８】
これらに屋根側養生シートＳ１と前側養生シートＳ２は作業足場Ａ内に風雨が侵入するのを防止し、逆に作業足場Ａ内から作業者や資材が落下するのを防止し、併せて作業足場Ａ内の温度調整のために開閉して換気できるようになっている。
【００２９】
以下更に詳しく説明すると、図１〜図４に示すように、作業足場Ａは水平な足場板９と、足場板９の前側に起立する複数の前側縦支柱１と、足場板９の後側に起立する複数の後側縦支柱２と、前側縦支柱１の上端と後側縦支柱２の上端との間に架設されている複数の傾斜した屋根支柱３とを備えている。
【００３０】
また、複数の屋根支柱３の上端間に水平に架設された背部補強支柱４と、複数の後側縦支柱２の間に水平に架設した他の背部補強支柱７と、複数の前側縦支柱１間に水平に架設した前部補強支柱８とを備えて作業足場Ａの立体状の足場枠を補強している。
【００３１】
上記したように、前側縦支柱１と後側縦支柱２とにはそれぞれ前部手摺フレーム６ａと、背部手摺フレーム６ｂと側部手摺フレーム５を取付けている。
【００３２】
複数の前側支柱１間には上部ブラケットＢ１，下部ブラケットＢ２を介して二つの上側ガイドレール１３及び下側ガイドフレーム１４とが水平方向に沿って架設されている。
【００３３】
また、背部補強支柱４と上側ガイドフレーム１３との間には屋根側養生シートＳ１が着脱自在で水平方向移動自在に展張されている。
【００３４】
更に、上側ガイドフレーム１３と下側ガイドフレーム１４との間には前側養生シートＳ２が着脱自在で水平方向移動自在に展張されている。
【００３５】
上側ガイドレール１３と下側ガイドレール１４とは同じ構造に成形されている。
【００３６】
これらの上側及び下側ガイドレール１３、１４は、図５、図７、図９に示すように、それぞれ長手方向に沿って形成されている上下一対のスライド溝１７と、スライド溝１７内にスライド自在に挿入されているランナー１９とを備えている。
【００３７】
このランナー１９はスライド溝１７内を転動するローラ２０と、ローラ２０の軸を支持しながら上方と下方の両方又は一方に延びる二股状の支持部材２１と、この支持部材２１の端部に接続されて屋根側養生シートＳ１又は前側養生シートＳ２を連結させるリング２２とを備えている。
【００３８】
屋根側養生シートＳ１の上部及び下部にそれぞれ孔２３が形成されており、これにより屋根側養生シートＳ１の上端がこの上部の孔２３に差し込まれた紐１６(図１参照)を介して上記背部補強支柱４に着脱自在で水平方向移動自在に取付けられている。
【００３９】
紐１６は固く縛っても良く、横方向に移動できるように緩く縛っても良い。
【００４０】
この場合、連結手段として上記紐１６に代えて着脱自在なフック、リングその他の公知の手段を利用しても良い。
【００４１】
更に、上記背部補強支柱４に上側ガイドフレーム１３と同じガイドフレームを水平方向に沿って取付け、このガイドフレームに屋根側養生シートＳ１の上端を着脱自在で水平方向移動自在に取り付けても良い。
【００４２】
上記屋根側養生シートＳ１の下端は下部の孔２３に差し込まれた連結手段たるピン２４を介してランナー１９側のリング２２に着脱自在に取り付けられている。
【００４３】
上記屋根側養生シートＳ１と同じく、前側養生シートＳ２の上部及び下部に孔２３が形成されており、これにより前側養生シートＳ２の上端と下端とがそれぞれ上部の孔２３と下部の孔２３に差し込まれた連結スダンたるピン２４を介してそれぞれランナー１９側のリング２２に着脱自在に取り付けられている。
【００４４】
この場合ピン２４を利用した連結手段としては、図５（Ｃ）、図７（Ｃ）、図９に示すように、ランナー１９側のリング２２と前側養生シートＳ２の上部孔２３とを貫通するフランジ付きのピン２４と、このピン２４の端部に嵌合又螺合させたナット２５とを利用している。
【００４５】
これによりランナー１９側のリング２２と前側養生シートＳ２の孔２３とが重ねられた状態でピン２４により結合される。
【００４６】
したがって、前側養生シートＳ２の上端はランナー１９を介して上側ガイドレール１３に沿って水平方向にスライドでき、換気のため開閉できる。
【００４７】
また、ピン２４からナット２５を離し、ピン２４をリング２２と孔２３から抜き取れば前側養生シートＳ２を上側ガイドレール１３から取外しできる。
【００４８】
上記連結手段としてはピン２４に代えて紐、フックその他の公知の着脱可能な連結具を使用しても良い。
【００４９】
上側ガイドレール１３は図５に示すように、側部に長手方向に沿う支持溝２６を備え、この支持溝２６内に水平な板からなるブラケットＢ１が着脱自在に挿入されている。
【００５０】
言い換えれば、予め固定されているブラケットＢ１に横方向から上側ガイドレール１３の支持溝２６を差し込む。
【００５１】
ブラケットＢ１は楔挿入用の孔３４を備えたソケット３２に予め着脱自在に固定されている。
【００５２】
但し、上側ガイドフレーム１３の支持溝２６に予め挿入しておいたブラケットＢ１をソケット３２に固定しても良い。
【００５３】
ブラケットＢ１は図７、図８に示すように、水平な板本体３０と板本体３０の両側に突出させたボルト３０ａと、ボルト３０ａに螺合させたナット３０ｂとを備えている。
ソケット３２は図６に示すように、ボルト挿入用の溝３６を備えた水平な板３５と、板３５に一体に連結したソケット本体３２ａと、ソケット本体３２ａに形成された楔挿入用の孔３４とを備えている。
【００５４】
ソケット３２の孔３４には図５（ａ）に示すように、前側縦支柱１に結合した多孔のフランジ３１の孔３７に嵌合する楔３３を圧入し、ソケット３２は楔３３を介してフランジ３１に結合されている。
【００５５】
これにより、ブラケットＢ１がボルト３０ａとナット３０ｂを介してソケット３２側の板３５に固定され、更にこのブラケットＢ１に上側ガイドフレーム１３が差し込まれて取付けられ、結果的に上側ガイドフレーム１３がブラケットＢ１と、ソケット３２と、フランジ３１を介して前側縦支柱１に結合される。
【００５６】
同じく、下側ガイドレール１４は側部に長手方向に沿う支持溝２６を備え、図７に示すように、支持溝２６内に水平な板からなるブラケットＢ２を着脱自在に挿入させ、ブラケットＢ２を前側縦支柱１に結合したクランプ２７に着脱自在に固定させている。
【００５７】
ブラケットＢ２は上記した図８の構造のものと同じであり、取り付け方法、作用、効果も同じである。
【００５８】
クランプ２７は図７に示すように、クランプ本体２７ａと、クランプ本体２７ａに一体に連結した連結ボディ２８と、連結ボディ２８に結合した板３７とを備え、板３７にはボルト挿入用の溝又は孔が形成されている。
【００５９】
これにより、支ブラケットＢ２がボルトを介してクランプ側の板３７に固定されると共にこのブラケットＢ２に下側ガイドフレーム１４が取付けられ、結果的に下側ガイドフレーム１４がクランプ２７を介して前側縦支柱１に結合される。
【００６０】
上記本考案の昇降足場装置によれば、背部補強支柱４と上側ガイドフレーム１３との間に屋根側養生シートＳ１を着脱自在で水平方向移動自在に展張し、同じく、上側ガイドフレーム１３と下側ガイドフレーム１４との間に前側養生シートＳ２を着脱自在で水平方向移動自在に展張しているから何時でも屋根側養生シートＳ１と前側養生シートＳ２を交換し、修理して張替えでき、また、何時でも開閉して換気できる。
【符号の説明】
【００６１】
Ａ  作業足場
Ｂ  ガイド支柱
Ｂ１、Ｂ２  ブラケット
Ｃ  昇降機
Ｓ１  屋根側養生シート
Ｓ２  前側養生シート
１  前側縦支柱
２  後側縦支柱
３  屋根支柱
４  背部補強支柱
９  足場板
１３  上側ガイドフレーム
１４  下側ガイドフレーム
１６  紐
１７  スライド溝
１９  ランナー
２０  ローラ
２１  支持部材
２２  リング
２３  孔
２４  ピン
２６  支持溝
３０  板
３０ａ  ボルト
３０ｂ  ナット
３１  フランジ
３２  ソケット
３３  楔
３４  孔
【図１】
0003204708.tif 000003
【図２】
0003204708.tif 000004
【図３】
0003204708.tif 000005
【図４】
0003204708.tif 000006
【図５】
0003204708.tif 000007
【図６】
0003204708.tif 000008
【図７】
0003204708.tif 000009
【図８】
0003204708.tif 000010
【図９】
0003204708.tif 000011